(57)【要約】【課題】低ろ過効率のろ材を使用せずに、しかも、匂ったり、人々や周囲環境を恐らくは危険にさらす空気浄化剤を使用せずに動作する空気清浄機を提供する。【解決手段】ＵＶ（紫外線）クリーナを有する産業プラント用空気清浄機。前記ＵＶクリーナは、ダクトケーシングと、複数のＵＶ発生器と、エアポンプとを備える。前記ダクトケーシングはダクトケーシング内に形成されている空洞と、当該空洞に通じる空気取入口と、当該空洞に通じる空気排出口とを有する。前記ＵＶ発生器は、前記ダクトケーシング内の前記空洞に取り付けられ、動作時にＵＶを発生させる。前記エアポンプは、前記空気排出口に接続され、空気排出口から外方へ向かう吸引力を発生させる。【選択図】図１
0003127434.tif 000002
【実用新案登録請求の範囲】
【請求項１】
中空のダクトケーシングであって、該ダクトケーシング内に形成された空洞、該空洞に通じる空気取入口および該空洞に通じる空気排出口を有するダクトケーシングと、
該ダクトケーシング内の前記空洞に設けられたＵＶ発生器であって、一つは１６０から２００ナノメートルに至る範囲の波長を有するＵＶであり、他の一つは２２０から３００ナノメートルに至る範囲の波長を有する２種類のＵＶを動作時に発生するＵＶ発生器と、
前記空気排出口に接続され、前記空気排出口を経て外方へ向かう吸引力を発生させるエアポンプとを備えるＵＶクリーナを含む産業プラント用空気清浄機。
【請求項２】
前記ＵＶクリーナに接続される水クリーナを含み、該水クリーナは、
前記ＵＶクリーナのダクトケーシングに接続されたダクトケーシングであって、該ダクトケーケーシング内に形成された空洞、該空洞に通じる空気取入口および該空洞に通じる空気排出口を有する水クリーナのダクトケーシングと、
該ダクトケーシングの前記空洞に取り付けられる複数の散水管であって、該散水管の内部に設けられ、前記空気取入口と向き合う複数のノズルを有する散水管と、
前記水クリーナのダクトケーシングに取り付けられ、該ダクトケーシングの前記空洞に通じる注水ホースと、
前記水クリーナのダクトケーシングに取り付けられ、該ダクトケーシングの前記空洞に通じる排水ホースとを有する、請求項１に記載の空気清浄機。
【請求項３】
前記水クリーナは、前記排水ホースよりも上部で前記水クリーナのダクトケーシングに設けられ、該ダクトケーシングの前記空洞と通じるオーバーフローホースを有する、請求項２に記載の空気清浄機。
【考案の詳細な説明】
【技術分野】
【０００１】
本考案は、浄化装置に関し、より詳細には汚れた空気を浄化する産業プラント用空気清浄機に関する。
【背景技術】
【０００２】
精油所や焼却炉などの産業プラントは、大量の汚れた空気を発生させ、周辺環境を汚染し、人の健康を危険にさらしている。
【０００３】
汚れた空気がプラントから排出されて周辺環境や人々に対する有害物となる前に、その汚れた空気を浄化するために、プラントには汚れた空気を浄化する清浄機が取り付けられている。
【０００４】
従来の空気清浄機は２つのタイプに分類される。一つは空気ろ過器であり、もう一つは空気浄化剤である。
【考案の開示】
【考案が解決しようとする課題】
【０００５】
従来の空気ろ過器とは、ろ過網すなわち多数のメッシュを有する活性炭のろ材であろう。空気がメッシュを通過する際、空気ろ過器がその空気に含まれる汚染物質を捕捉する。しかしながら、メッシュの寸法が小さすぎ、空気のろ過効率は低い。
【０００６】
従来の空気浄化剤は、汚れた空気と混ぜ合わされ、その空気に含まれる汚染物質と反応するように放出される。空気浄化剤と汚れた空気の反応により生成される物質は、人々にも周囲環境にも無害である。しかしながら、反応せずに残った空気浄化剤は、人々にとって有害である。さらに、反応により生成される物質は、匂って、人々を不快にする。
【０００７】
かかる欠点を克服すべく、本考案は、上述の問題点を軽減ないしは除去するための空気清浄機を提供する。
【０００８】
本考案の主な目的は、汚れた空気を浄化する空気清浄機を提供することである。
【課題を解決するための手段】
【０００９】
本考案の空気清浄機は、ＵＶ（紫外線）クリーナを含む。前記ＵＶクリーナは、ダクトケーシングと、複数のＵＶ発生器と、エアポンプとを備える。前記ダクトケーシングはダクトケーシング内に形成されている空洞と、当該空洞に通じる空気取入口と、当該空洞に通じる空気排出口とを有する。前記ＵＶ発生器は、前記ダクトケーシング内の前記空洞に取り付けられ、動作時にＵＶを発生させる。前記エアポンプは、前記空気排出口と接続され、空気排出口から外方へ向かう吸引力を発生させる。前記空気清浄機は、低ろ過効率のろ材を使用せずに、しかも、匂ったり、人々や周囲環境を恐らくは危険にさらす空気浄化剤を使用せず動作する。
【００１０】
本考案における目的、利点、及び新規な特徴は、添付図面と併せて以下に記す考案を実施するための最良の形態から、より明らかになるであろう。
【考案を実施するための最良の形態】
【００１１】
図１ないし３に示されるように、本考案の空気清浄機は、精油所や焼却炉などの産業プラントの空気排出口に接続されるエアダクト９０，９０ａとともに使用される。
【００１２】
前記空気清浄機は、ＵＶ（紫外線）クリーナと水クリーナ４０とを含む。
【００１３】
ＵＶクリーナは、稼働中の産業プラントで生成された汚れた空気を浄化するよう、エアダクト９０に接続され、ダクトケーシング１０と、複数のＵＶ発生器と、エアポンプ３０とを有する。
【００１４】
ダクトケーシング１０は、中空でエアダクト９０に接続されており、空洞と、空気取入口１１と、空気排出口１２とを有する。前記空洞はダクトケーシング１０内に形成されている。空気の取入、排出の両口１１、１２は、前記空洞で通じており、空気の取入口１１はエアダクト９０に接続されている。
【００１５】
ＵＶ発生器２０は、ＵＶ管からなり、ダクトケーシング１０に設置されており、動作時に二種類のＵＶを発生させる。一つは、１６０から２００ナノメートル（ｎｍ）に至る範囲の波長を有するＵＶであり、もう一つは、２２０から３００ナノメートルに至る範囲の波長を有するＵＶである。これら二種類のＵＶが、揮発性有機化合物や、窒素酸化物や、硫黄酸化物など、最も多くの種類の汚染物質を分解し、産業プラントで生成された空気に含まれるバクテリアを除去する。ＵＶ発生器２０に照射された空気は、周囲環境にも人体にも危険を与えない、毒性のない無臭物質に変化する。
【００１６】
エアポンプ３０は、ダクトケーシング１０の空気排出口１２に接続されており、動作時に、空気排出口１２を経て外方へ向かう吸引力を発生させる。エアポンプ３０は、ＵＶクリーナのダクトケーシング１０の空気排出口１２の外側に設けられたファン３１と、該ファンに変速機を介して接続されて該ファン３１を駆動するモーター３２とを備える。吸引力によりダクトケーシング１０内を空気が通過すると、ＵＶ発生器２０からＵＶが発せられ、空気に含まれる汚染物質やバクテリアが分解され、空気を浄化する。浄化された空気は、空気排出口１２から外部へ放出される。
【００１７】
水クリーナ４０は、前記ＵＶクリーナとエアダクト９０ａとに接続され、ダクトケーシング４１と、複数の散水管４２と、注水ホース４３と、排水ホース４４と、オーバーフローホース４５とを有する。
【００１８】
水クリーナ４０のダクトケーシング４１は、ＵＶクリーナとエアダクト９０ａのダクトケーシング１０とに接続され、空洞と、空気取入口４１１と、空気排出口４１２とを有する。前記空洞は、水クリーナ４０のダクトケーシング４１内に形成されている。空気取入口４１１と排出口４１２とは、水クリーナ４０のダクトケーシング４１内の前記空洞で通じている
【００１９】
散水管４２は、水クリーナ４０のダクトケーシング４１内に形成された前記空洞に取り付けられ、外部の水源に接続されている。各散水管４２は、複数のノズル４２１を有する。ノズル４２１は、散水管４２の内部に形成されており、水クリーナ４０のダクトケーシング４１の空気取入口４１１と向き合っており、空気中の汚染粒子を吸収すべく散水する。
【００２０】
注水ホース４３は、水クリーナ４０のダクトケーシング４１内に取り付けられ、ダクトケーシング４１内の前記空洞に通じており、ダクトケーシング４１内の空洞に注水する外部の水源に接続することができる。
【００２１】
排水ホース４４は、水クリーナ４０のダクトケーシング４１に取り付けられ、ダクトケーシング４１内の前記空洞と通じており、ダクトケーシング４１内の空洞から水を排出することができる。散水された水が、水中の汚染粒子を吸収して落下し、注水ホース４３から注入されたきれいな水と混ぜ合わされた後、汚染粒子と混合された汚染水は排水ホース４４でダクトケーシング４１から放出される。
【００２２】
オーバーフローホース４５は、水クリーナ４０のダクトケーシング４１に排水ホース４４より上方で取り付けられ、ダクトケーシング４１内の前記空洞に通じており、あふれた水を前記空洞の外部へ排出する。
【００２３】
本考案の空気清浄機は、空気中の汚染物質を吸収するよう散水を行う水クリーナ４０と、残った汚染物質を分解するＵＶクリーナとを備え、低ろ過効率のろ材を使用せずに、空気を急速に浄化する。しかも、本考案の空気清浄機は、匂って人々を不快にさせる空気浄化剤を用いることもなければ、人々や周囲環境に危険を与える空気浄化剤を空気中に残すこともない。
【図面の簡単な説明】
【００２４】
【図１】本考案のエアダクトに接続された産業プラント用空気清浄機の一部分を破断して示す側面図であり、矢印は空気の流れを示す。
【図２】図１のエアダクトに接続された水クリーナを備える空気清浄機の一部分を破断して示す側面図であり、矢印は空気の流れを示す。
【図３】図２の空気清浄機の水クリーナの一部分を破断して示す拡大側面図。
【符号の説明】
【００２５】
１０  ダクトケーシング
１１  空気取入口
１２  空気排出口
２０  ＵＶ発生器
３０  エアポンプ
３１  ファン
３２  モーター
４０  水クリーナ
４１  ダクトケーシング
４１１  空気取入口
４１２  空気排出口
４２  散水管
４２１  ノズル
４３  注水ホース
４４  排水ホース
４５  オーバーフローホース
９０  エアダクト
９０ａ  エアダクト
【図１】
0003127434.tif 000003
【図２】
0003127434.tif 000004
【図３】
0003127434.tif 000005